【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
人工心臓弁デバイスであって、
上流部および下流部を有する環状固定フレームを有する固着部材と、
前記固定フレームの前記下流部に連結した第１の部分と、前記固定フレームの前記上流部から半径方向に内向きに離間した第２の部分と、を有する管状弁支持体と、
前記弁支持体に連結され、かつ前記弁支持体を通る血流が遮断される閉鎖位置と、下流方向への前記弁支持体を通る血流が許容される開放位置とから移動可能である少なくとも１つの弁尖を有する、弁アセンブリと、
前記固定フレームに連結され、かつそこから半径方向に外向きに延在する拡張部材であって、前記拡張部材が、複数のワイヤを含み、前記ワイヤの少なくとも一部分が、外側材料によって包囲された内核を含み、（ａ）前記内核が、第１の材料であり、（ｂ）前記外側材料が、前記第１の材料とは異なる第２の材料であり、かつある厚さを有し、（ｃ）前記ワイヤが、前記外側材料の前記厚さの少なくとも一部分を通して延在する複数の凹部を含み、（ｄ）前記人工心臓弁デバイスが、天然弁輪に位置付けられるとき、生体構造への送達のための前記凹部内にある治療剤、拡張部材と、を備える、人工心臓弁デバイス。
【請求項２】
前記固定フレームの前記上流部が、前記管状弁支持体の前記第２の部分を実質的に変形させることなく、半径方向に変形可能である、請求項１に記載のデバイス。
【請求項３】
前記拡張部材が、その長さの少なくとも一部分に沿って延在する封止部材をさらに含み、前記ワイヤが、前記封止部材に連結されている、請求項１に記載のデバイス。
【請求項４】
前記ワイヤが、前記固定フレームの前記上流部と一体である、請求項１に記載のデバイス。
【請求項５】
前記ワイヤが、前記固定フレームから機械的に絶縁される、請求項１に記載のデバイス。
【請求項６】
前記第１の材料が、Ｘ線不透過性であり、前記第２の材料が、超弾性合金である、請求項１に記載のデバイス。
【請求項７】
前記治療剤が、抗炎症薬および生物活性剤のうちの少なくとも１つを含む、請求項１に記載のデバイス。
【請求項８】
前記第１の材料が、Ｘ線不透過性であり、
前記第２の材料が、超弾性合金であり、
前記治療剤が、抗炎症薬および生物活性剤のうちの少なくとも１つを含む、請求項１に記載のデバイス。
【請求項９】
前記複数の凹部のうちの少なくともいくつかが、前記外側材料の全体厚さを通して延在し、それによって、前記内核の少なくとも一部分を露出する、請求項１に記載のデバイス。
【請求項１０】
前記複数の凹部のうちの少なくともいくつかが、前記外側材料の全体厚さ、および前記内核の厚さの少なくとも一部分を通して延在し、これによって、前記複数の凹部のうちの前記少なくともいくつかが、前記内核内の中間の深さで終端する、請求項１に記載のデバイス。
【請求項１１】
前記拡張部材が、前記内核と前記外側材料との間に位置付けられた中間材料をさらに含む、請求項１に記載のデバイス。
【請求項１２】
前記凹部のうちの少なくともいくつかが、前記外側材料の全体厚さを通して延在し、それによって、前記中間材料の少なくとも一部分を露出する、請求項１１に記載のデバイス。
【請求項１３】
前記凹部のうちの少なくともいくつかが、前記外側材料の全体厚さ、および前記中間材料の全体厚さを通して延在し、それによって、前記内核の少なくとも一部分を露出する、請求項１１に記載のデバイス。
【請求項１４】
人工心臓弁デバイスであって、
上流部および下流部を有する環状固定フレームを有する固着部材と、
前記固着部材の前記下流部に連結した第１の部分と、前記固着部材の前記上流部から半径方向に内向きに離間した第２の部分と、を有する管状弁支持体と、
前記弁支持体に連結され、かつ前記弁支持体を通る血流が遮断される閉鎖位置と、下流方向への前記弁支持体を通る血流が許容される開放位置とから移動可能である少なくとも１つの弁尖を有する、弁アセンブリと、
前記固定フレームに連結され、かつそこから半径方向に外向きに延在する拡張部材であって、前記拡張部材が、複数のワイヤを含み、前記ワイヤの少なくとも一部分が、外側材料によって包囲された内核を含み、（ａ）前記内核が、第１の材料であり、（ｂ）前記外側材料が、前記第１の材料とは異なる第２の材料であり、かつある厚さを有し、（ｃ）前記ワイヤが、前記外側材料の前記厚さの少なくとも一部分を通して延在する複数の凹部を含み、（ｄ）Ｘ線不透過性材料が、凹部内にある、拡張部材と、を備える、人工心臓弁デバイス。
【請求項１５】
前記固定フレームの前記上流部が、前記管状弁支持体の前記第２の部分を実質的に変形させることなく、半径方向に変形可能である、請求項１４に記載のデバイス。
【請求項１６】
前記拡張部材が、その長さの少なくとも一部分に沿って延在する封止部材をさらに含み、前記ワイヤが、前記封止部材に連結されている、請求項１４に記載のデバイス。
【請求項１７】
前記ワイヤが、前記固定フレームの前記上流部と一体である、請求項１４に記載のデバイス。
【請求項１８】
前記ワイヤが、前記固定フレームから機械的に絶縁される、請求項１４に記載のデバイス。
【請求項１９】
前記第１の材料が、Ｘ線不透過性であり、前記第２の材料が、超弾性合金である、請求項１４に記載のデバイス。
【請求項２０】
前記治療剤が、抗炎症薬および生物活性剤のうちの少なくとも１つを含む、請求項１４に記載のデバイス。
【請求項２１】
前記第１の材料が、Ｘ線不透過性であり、
前記第２の材料が、超弾性合金であり、
前記治療剤が、抗炎症薬および生物活性剤のうちの少なくとも１つを含む、請求項１４に記載のデバイス。
【請求項２２】
前記複数の凹部のうちの少なくともいくつかが、前記外側材料の全体厚さを通して延在し、それによって、前記内核の少なくとも一部分を露出する、請求項１４に記載のデバイス。
【請求項２３】
前記複数の凹部のうちの少なくともいくつかが、前記外側材料の全体厚さ、および前記内核の厚さの少なくとも一部分を通して延在し、これによって、前記複数の凹部のうちの前記少なくともいくつかが、前記内核内の中間の深さで終端する、請求項１４に記載のデバイス。
【請求項２４】
前記拡張部材が、前記内核と前記外側材料との間に位置付けられた中間材料をさらに含む、請求項１４に記載のデバイス。
【請求項２５】
前記凹部のうちの少なくともいくつかが、前記外側材料の全体厚さを通して延在し、それによって、前記中間材料の少なくとも一部分を露出する、請求項２４に記載のデバイス。
【請求項２６】
前記凹部のうちの少なくともいくつかが、前記外側材料の全体厚さ、および前記中間材料の全体厚さを通して延在し、それによって、前記内核の少なくとも一部分を露出する、請求項２４に記載のデバイス。
【手続補正２】
【補正対象書類名】明細書
【補正対象項目名】００１１
【補正方法】変更
【補正の内容】
【００１１】
概説
本技術のいくつかの実施形態は、天然僧帽弁を経皮的に交換する独自の難題に対処し、かつ生体構造に治療剤を送達するのに適切である僧帽弁置換デバイスを対象とする。大動脈弁を置換することと比較して、経皮的僧帽弁置換は、経皮的僧帽弁置換を大動脈弁置換よりも有意に困難にする独特の解剖学的障害物に直面する。第１に、比較的対称かつ均一な大動脈弁と異なり、僧帽弁輪は、しばしば対称性が欠けている非平面的な鞍のような幾何学形状を伴う、非円形のＤ字形または腎臓のような形状を有する。僧帽弁の複雑かつ高度に可変の生体構造は、特定の患者の天然僧帽弁輪にうまく適合する僧帽弁補綴を設計することを困難にする。結果として、補綴は、血液の逆流が起こることを可能にする隙間を残すことができる、天然弁尖および／または弁輪とうまく嵌合しなくてもよい。例えば、天然僧帽弁内への円筒形弁補綴の配置は、弁周囲漏出が起こってもよい天然弁の交連領域中に間隙を残してもよい。
本発明は、例えば、以下を提供する。
（項目１）
人工心臓弁デバイスであって、
上流部および下流部を有する環状固定フレームを有する固着部材と、
前記固定フレームの前記下流部に連結した第１の部分と、前記固定フレームの前記上流部から半径方向に内向きに離間した第２の部分と、を有する管状弁支持体と、
前記弁支持体に連結され、かつ前記弁支持体を通る血流が遮断される閉鎖位置と、下流方向への前記弁支持体を通る血流が許容される開放位置とから移動可能である少なくとも１つの弁尖を有する、弁アセンブリと、
前記固定フレームに連結され、かつそこから半径方向に外向きに延在する拡張部材であって、前記拡張部材が、複数のワイヤを含み、前記ワイヤの少なくとも一部分が、外側材料によって包囲された内核を含み、（ａ）前記内核が、第１の材料であり、（ｂ）前記外側材料が、前記第１の材料とは異なる第２の材料であり、かつある厚さを有し、（ｃ）前記ワイヤが、前記外側材料の前記厚さの少なくとも一部分を通して延在する複数の凹部を含み、（ｄ）前記人工心臓弁デバイスが、天然弁輪に位置付けられるとき、生体構造への送達のための前記凹部内にある治療剤、拡張部材と、を備える、人工心臓弁デバイス。
（項目２）
前記固定フレームの前記上流部が、前記管状弁支持体の前記第２の部分を実質的に変形させることなく、半径方向に変形可能である、項目１に記載のデバイス。
（項目３）
前記拡張部材が、その長さの少なくとも一部分に沿って延在する封止部材をさらに含み、前記ワイヤが、前記封止部材に連結されている、項目１に記載のデバイス。
（項目４）
前記ワイヤが、前記固定フレームの前記上流部と一体である、項目１に記載のデバイス。
（項目５）
前記ワイヤが、前記固定フレームから機械的に絶縁される、項目１に記載のデバイス。
（項目６）
前記第１の材料が、Ｘ線不透過性であり、前記第２の材料が、超弾性合金である、項目１に記載のデバイス。
（項目７）
前記治療剤が、抗炎症薬および生物活性剤のうちの少なくとも１つを含む、項目１に記載のデバイス。
（項目８）
前記第１の材料が、Ｘ線不透過性であり、
前記第２の材料が、超弾性合金であり、
前記治療剤が、抗炎症薬および生物活性剤のうちの少なくとも１つを含む、項目１に記載のデバイス。
（項目９）
前記複数の凹部のうちの少なくともいくつかが、前記外側材料の全体厚さを通して延在し、それによって、前記内核の少なくとも一部分を露出する、項目１に記載のデバイス。
（項目１０）
前記複数の凹部のうちの少なくともいくつかが、前記外側材料の全体厚さ、および前記内核の厚さの少なくとも一部分を通して延在し、これによって、前記複数の凹部のうちの前記少なくともいくつかが、前記内核内の中間の深さで終端する、項目１に記載のデバイス。
（項目１１）
前記拡張部材が、前記内核と前記外側材料との間に位置付けられた中間材料をさらに含む、項目１に記載のデバイス。
（項目１２）
前記凹部のうちの少なくともいくつかが、前記外側材料の全体厚さを通して延在し、それによって、前記中間材料の少なくとも一部分を露出する、項目１１に記載のデバイス。
（項目１３）
前記凹部のうちの少なくともいくつかが、前記外側材料の全体厚さ、および前記中間材料の全体厚さを通して延在し、それによって、前記内核の少なくとも一部分を露出する、項目１１に記載のデバイス。
（項目１４）
人工心臓弁デバイスであって、
上流部および下流部を有する環状固定フレームを有する固着部材と、
前記固着部材の前記下流部に連結した第１の部分と、前記固着部材の前記上流部から半径方向に内向きに離間した第２の部分と、を有する管状弁支持体と、
前記弁支持体に連結され、かつ前記弁支持体を通る血流が遮断される閉鎖位置と、下流方向への前記弁支持体を通る血流が許容される開放位置とから移動可能である少なくとも１つの弁尖を有する、弁アセンブリと、
前記固定フレームに連結され、かつそこから半径方向に外向きに延在する拡張部材であって、前記拡張部材が、複数のワイヤを含み、前記ワイヤの少なくとも一部分が、外側材料によって包囲された内核を含み、（ａ）前記内核が、第１の材料であり、（ｂ）前記外側材料が、前記第１の材料とは異なる第２の材料であり、かつある厚さを有し、（ｃ）前記ワイヤが、前記外側材料の前記厚さの少なくとも一部分を通して延在する複数の凹部を含み、（ｄ）Ｘ線不透過性材料が、凹部内にある、拡張部材と、を備える、人工心臓弁デバイス。
（項目１５）
前記固定フレームの前記上流部が、前記管状弁支持体の前記第２の部分を実質的に変形させることなく、半径方向に変形可能である、項目１４に記載のデバイス。
（項目１６）
前記拡張部材が、その長さの少なくとも一部分に沿って延在する封止部材をさらに含み、前記ワイヤが、前記封止部材に連結されている、項目１４に記載のデバイス。
（項目１７）
前記ワイヤが、前記固定フレームの前記上流部と一体である、項目１４に記載のデバイス。
（項目１８）
前記ワイヤが、前記固定フレームから機械的に絶縁される、項目１４に記載のデバイス。
（項目１９）
前記第１の材料が、Ｘ線不透過性であり、前記第２の材料が、超弾性合金である、項目１４に記載のデバイス。
（項目２０）
前記治療剤が、抗炎症薬および生物活性剤のうちの少なくとも１つを含む、項目１４に記載のデバイス。
（項目２１）
前記第１の材料が、Ｘ線不透過性であり、
前記第２の材料が、超弾性合金であり、
前記治療剤が、抗炎症薬および生物活性剤のうちの少なくとも１つを含む、項目１４に記載のデバイス。
（項目２２）
前記複数の凹部のうちの少なくともいくつかが、前記外側材料の全体厚さを通して延在し、それによって、前記内核の少なくとも一部分を露出する、項目１４に記載のデバイス。
（項目２３）
前記複数の凹部のうちの少なくともいくつかが、前記外側材料の全体厚さ、および前記内核の厚さの少なくとも一部分を通して延在し、これによって、前記複数の凹部のうちの前記少なくともいくつかが、前記内核内の中間の深さで終端する、項目１４に記載のデバイス。
（項目２４）
前記拡張部材が、前記内核と前記外側材料との間に位置付けられた中間材料をさらに含む、項目１４に記載のデバイス。
（項目２５）
前記凹部のうちの少なくともいくつかが、前記外側材料の全体厚さを通して延在し、それによって、前記中間材料の少なくとも一部分を露出する、項目２４に記載のデバイス。
（項目２６）
前記凹部のうちの少なくともいくつかが、前記外側材料の全体厚さ、および前記中間材料の全体厚さを通して延在し、それによって、前記内核の少なくとも一部分を露出する、項目２４に記載のデバイス。
（項目２７）
人工心臓弁デバイスであって、
内部を伴い、上流部および下流部を有する半径方向に拡大可能なフレームを有する固着部材であって、前記上流部が、対象中の心臓弁の天然弁輪に、および／またはその下流に位置する組織に対して外向きに押し付けるように構成され、かつ前記組織の形状に一致するように少なくとも部分的に変形可能であるように構成される組織固定部分を含む、固着部材と、
前記固着部材に対して位置付けられ、かつ前記内部を通る血流が遮断される閉鎖位置と、前記上流部から前記下流部へ向かう流れの方向で前記内部を通る血流が許容される開放位置とから移動可能である少なくとも１つの弁尖を有する、弁であって、前記弁が、前記組織固定部分が前記組織の前記形状に一致するように変形されるとき、前記弁が有能なままであるように、前記固着部材の前記組織固定部分から内向きに離間される、弁と、
展開構成の前記固着部材の前記上流部から離れて横方向に延在する拡張アセンブリであって、前記拡張部材が、前記固着部材における第１の端部と、前記固着部材から離間される第２の端部と、を有する複数の個別織物セグメントを備え、前記織物セグメントが、前記拡張部材の周りに並んで配列されており、隣接した織物セグメントが、可撓性連結手段によって一緒にゆるく連結し、これによって、隣接した織物セグメントの前記第２の端部が、前記展開状態において互いに独立して構成され得る、拡張アセンブリと、を備える、人工心臓弁デバイス。
（項目２８）
前記セグメントが、構造部材を含まない、項目２７に記載の人工心臓弁デバイス。
（項目２９）
前記拡張部材が、前記展開構成の前記拡大可能なフレームに対して変形するように構成されている、項目２７に記載の人工心臓弁デバイス。
（項目３０）
前記連結手段が、弾性である、項目２７に記載の人工心臓弁デバイス。
（項目３１）
前記連結手段が、縫合糸である、項目２７に記載の人工心臓弁デバイス。
（項目３２）
前記セグメントの前記遠位終端が、前記拡張部材の前記第２の端部と一致する、項目２７に記載の人工心臓弁デバイス。
（項目３３）
前記セグメントが前記固着部材に間接的にのみ連結されるように、前記セグメントが前記拡大可能なフレームから離間される、項目２７に記載の人工心臓弁デバイス。
（項目３４）
前記セグメントが、前記拡大可能なフレームに直接的に接続される、項目２７に記載の人工心臓弁デバイス。